(57)【特許請求の範囲】
【請求項１】
複数モードの光を伝送するマルチモードファイバと、
送信データが重畳された複数モードの信号光を送信する送信装置と、
前記送信装置から出力された前記複数モードの信号光を増幅するマルチモード光ファイバ増幅器と、
前記マルチモード光ファイバ増幅器で増幅された前記複数モードの信号光を受信する受信装置と、
前記送信装置のモード毎の送信データの有無を監視し、送信データが有るモードが１つの場合、他のモードのうち少なくとも１以上のモードの信号光を送信させるよう前記送信装置を制御する監視制御装置と、
を備えたことを特徴とする光通信システム。
【請求項２】
複数モードの光を伝送するマルチモードファイバと、
送信データが重畳された複数モードの信号光を送信する送信装置と、
前記送信装置から出力された前記複数モードの信号光を増幅するマルチモード光ファイバ増幅器と、
前記マルチモード光ファイバ増幅器で増幅された前記複数モードの信号光を受信する受信装置と、
前記送信装置のモード毎の送信データの有無を監視し、送信データが無いモードが有る場合、前記送信データが無いモードの信号光を送信させるよう前記送信装置を制御する監視制御装置と、
を備えたことを特徴とする光通信システム。
【請求項３】
送信装置から送信される複数モードの信号光を増幅するマルチモード光ファイバ増幅器と、
前記送信装置から送信される信号光のモードと同一のモードの光を出力する光源と、
前記光源から出力される複数モードの光を合波する合波器と、
前記送信装置から送信された信号光と前記合波器で合波された光とを結合して前記マルチモード光ファイバ増幅部に出力する光結合器と、
前記送信装置のモード毎の送信される信号光の有無を監視し、送信される信号光のモードが１つの場合、他のモードのうち少なくとも１以上のモードの光を出力させるよう前記光源を制御する監視制御装置と、
を備えたことを特徴とするマルチモード光ファイバ増幅装置。
【請求項４】
送信装置から送信される複数モードの信号光を増幅するマルチモード光ファイバ増幅器と、
前記送信装置から送信される信号光のモードと同一のモードの光を出力する光源と、
前記光源から出力される複数モードの光を合波する合波器と、
前記送信装置から送信された信号光と前記合波器で合波された光とを結合して前記マルチモード光ファイバ増幅部に出力する光結合器と、
前記送信装置のモード毎の送信される信号光の有無を監視し、送信されない信号光のモードが有る場合、前記送信されない信号光のモードの光を出力させるよう前記光源を制御する監視制御装置と、
を備えたことを特徴とするマルチモード光ファイバ増幅装置。
【発明の詳細な説明】
【技術分野】
【０００１】
本発明は、複数モードの光信号を伝送する光通信システム及びマルチモード光ファイバ増幅装置に関する。
【背景技術】
【０００２】
通信サービスの高速化・大容量化するとともに、幹線系光伝送システムで伝送されるトラフィックが爆発的に増大している。そのため、光伝送システムの伝送容量を飛躍的に増大する技術検討が進められており、中でもモード多重光伝送技術の研究が近年急速に進んでいる。モード多重光伝送システムを長距離化するためには、複数の異なるモードの信号光を１本の増幅用ファイバで増幅するマルチモード光ファイバ増幅器が必要となる（非特許文献１）。モード多重光伝送システムにおいても、これまでのシングルモードファイバを用いた光伝送システムと同様に、光中継器として用いられる光ファイバ増幅器において雑音が付加され、光中継毎に光信号対雑音比（ＯＳＮＲ）が劣化し、所要のＯＳＮＲを下回る地点が伝送距離の限界となる。このため、光ファイバ増幅器で付加させる雑音をできるだけ小さくすることが求められる。
【０００３】
光ファイバ増幅器は増幅用にファイバに添加されたイオン（例えば、エルビウム添加ファイバ増幅器の場合はエルビウムイオン）の誘導放出を利用して信号光の増幅を行う。誘導放出により信号光を増幅すると、信号光パワーの揺らぎが増幅後の信号光において入力信号光より大きくなるが、これが光ファイバ増幅器で付加される雑音となる。光ファイバ増幅器での増幅の際に増加する揺らぎの大きさと増幅自然放出光（ＡＳＥ光）には比例の関係があるため、信号光パワーとＡＳＥ光パワーの比であるＯＳＮＲは、光ファイバ増幅器における増幅前後で劣化することになる。
【０００４】
一方で、光ファイバ増幅器の雑音特性は、出力信号光の信号対雑音比（ＳＮＲ）と入力信号光のＳＮＲの比である雑音指数（ＮＦ）によって評価され、雑音指数が小さい方が光増幅によるＯＳＮＲ劣化は小さくなる。すなわち、光ファイバ増幅器の雑音指数は可能な限り小さくすることが伝送特性上重要となる。
【０００５】
シングルモード光ファイバ増幅器の雑音指数を小さくするため、通常以下のような対策が採られる。
【０００６】
・添加イオンの励起波長を最適にする。例えば、エルビウムイオンの場合は９８０ｎｍ吸収帯を励起する励起光源を用いる。
【０００７】
・光ファイバ増幅器の信号光入力側の損失をできるだけ小さくする。
【先行技術文献】
【非特許文献】
【０００８】
【非特許文献１】E. Ip. et al., “88×3×112-Gb/s WDM transmission over 50 km of three-mode fiber with inline few-mode fiber amplifier,” in Proceeding of ECOC2011, PDP, Th.13.C.2.
【発明の概要】
【発明が解決しようとする課題】
【０００９】
しかしながら、マルチモード光ファイバ増幅器では、単一モードの信号光を増幅した場合に雑音特性が劣化するという、シングルモード光ファイバ増幅器にはない課題がある。
【００１０】
図１に、ＬＰ01モード信号光とＬＰ11モード信号光を増幅するマルチモード光ファイバ増幅器の一種類である２ＬＰモードエルビウム添加ファイバ増幅器（ＥＤＦＡ）において、信号光としてＬＰ01モード信号光とＬＰ11モード信号光の両方を入力した場合の利得と雑音指数（ＮＦ）と一方のモード信号光のみを入力した場合の利得と雑音指数（ＮＦ）を示す。
【００１１】
一方のモード信号光については、図１（ａ）はＬＰ01モード信号光のみ、図１（ｂ）はＬＰ11モード信号光のみである。ＬＰ01モード信号光のみを入力した場合もＬＰ11モード信号光のみを入力した場合も両方のモード信号光を入力したときより雑音指数が増加し、雑音特性が劣化している。
【００１２】
このように入力する信号光のモード数が少なくなると光ファイバ増幅器の雑音特性が劣化することは、２ＬＰモードの光ファイバ増幅器に限らず、それ以上のモード数をサポートするマルチモード光ファイバ増幅器でも見られる。したがって、マルチモード光ファイバ増幅器では入力する信号光のモード数の減少により過剰雑音が付加されるという課題がある。
【００１３】
本発明は、このような課題に鑑みてなされたもので、その目的とするところは、マルチモード光ファイバ増幅器において、増幅する信号光のモード数に依存した雑音特性の劣化を抑制する光通信システム及びマルチモード光ファイバ増幅装置を提供することにある。
【課題を解決するための手段】
【００１４】
上記の課題を解決するために、本発明は、請求項１に記載の発明は、複数モードの光を伝送するマルチモードファイバと、送信データが重畳された複数モードの信号光を送信する送信装置と、前記送信装置から出力された前記複数モードの信号光を増幅するマルチモード光ファイバ増幅器と、前記マルチモード光ファイバ増幅器で増幅された前記複数モードの信号光を受信する受信装置と、前記送信装置のモード毎の送信データの有無を監視し、送信データが有るモードが１つの場合、他のモードのうち少なくとも１以上のモードの信号光を送信させるよう前記送信装置を制御する監視制御装置と、を備えたことを特徴とする光通信システム。
【００１５】
請求項２に記載の発明は、複数モードの光を伝送するマルチモードファイバと、送信データが重畳された複数モードの信号光を送信する送信装置と、前記送信装置から出力された前記複数モードの信号光を増幅するマルチモード光ファイバ増幅器と、前記マルチモード光ファイバ増幅器で増幅された前記複数モードの信号光を受信する受信装置と、前記送信装置のモード毎の送信データの有無を監視し、送信データが無いモードが有る場合、前記送信データが無いモードの信号光を送信させるよう前記送信装置を制御する監視制御装置と、をえたことを特徴とする光通信システム。
【００１６】
請求項３に記載の発明は、送信装置から送信される複数モードの信号光を増幅するマルチモード光ファイバ増幅器と、前記送信装置から送信される信号光のモードと同一のモードの光を出力する光源と、前記光源から出力される複数モードの光を合波する合波器と、前記送信装置から送信された信号光と前記合波器で合波された光とを結合して前記マルチモード光ファイバ増幅部に出力する光結合器と、前記送信装置のモード毎の送信される信号光の有無を監視し、送信される信号光のモードが１つの場合、他のモードのうち少なくとも１以上のモードの光を出力させるよう前記光源を制御する監視制御装置と、を備えたことを特徴とするマルチモード光ファイバ増幅装置。
【００１７】
請求項４に記載の発明は、送信装置から送信される複数モードの信号光を増幅するマルチモード光ファイバ増幅器と、前記送信装置から送信される信号光のモードと同一のモードの光を出力する光源と、前記光源から出力される複数モードの光を合波する合波器と、前記送信装置から送信された信号光と前記合波器で合波された光とを結合して前記マルチモード光ファイバ増幅部に出力する光結合器と、前記送信装置のモード毎の送信される信号光の有無を監視し、送信されない信号光のモードが有る場合、前記送信されない信号光のモードの光を出力させるよう前記光源を制御する監視制御装置と、を備えたことを特徴とするマルチモード光ファイバ増幅装置。
【発明の効果】
【００１８】
本発明は、マルチモード光ファイバ増幅器における過剰な雑音付加を効果的に避けることができ、その結果、信号光のＯＳＮＲの過剰な劣化を抑制してマルチモード光伝送システムの伝送品質の劣化を抑制できるという利点がある。
【図面の簡単な説明】
【００１９】
【図１】ＬＰ01モード信号光とＬＰ11モード信号光を増幅するマルチモード光ファイバ増幅器の一種類である２ＬＰモードエルビウム添加ファイバ増幅器（ＥＤＦＡ）において、信号光としてＬＰ01モード信号光とＬＰ11モード信号光の両方を入力した場合の利得と雑音指数（ＮＦ）と一方のモード信号光のみを入力した場合の利得と雑音指数（ＮＦ）を示す図である。
【図２】（ａ）、（ｂ）はそれぞれ、マルチモード光ファイバ増幅器へ両モードの信号光を入力した場合のＬＰ01モード信号光、ＬＰ11モード信号光の出力スペクトルを示す図であり、（ｃ）、（ｄ）はそれぞれ、マルチモード光ファイバ増幅器へＬＰ01モード信号光のみを入力した場合のＬＰ01モード信号光、ＬＰ11モード信号光の出力スペクトルを示す図である。
【図３】本発明の第１の実施形態に係る光通信システムを示すブロック図である。
【図４】本発明の光通信システムにおいて、ＬＰ01モード信号光として１５３０．３３〜１５６１．４２ｎｍに１００ＧＨｚ間隔で配置された２０Ｇｂａｕｄ四位相偏移変調（ＱＰＳＫ）で変調された４０波波長多重信号と、ＬＰ11モード信号光及びＬＰ21モード信号光として２０ＧｂａｕｄＱＰＳＫで変調された１５３０．３３ｎｍの単一波長信号を伝送したときのＱファクタ（受信装置内の前方誤り訂正回路の前段におけるＱファクタ）を示す図である。
【図５】本光通信システムにおいて、ＬＰ01モード信号光として１５３０．３３〜１５６１．４２ｎｍに１００ＧＨｚ間隔で配置された２０ＧｂａｕｄＱＰＳＫで変調された４０波波長多重信号と、ＬＰ21モード信号光として２０ＧｂａｕｄＱＰＳＫで変調された１５３０．３３ｎｍの単一波長信号を伝送したときのＱファクタ（受信装置内の前方誤り訂正回路の前段におけるＱファクタ）を示す図である。
【図６】本願発明における第３の実施形態のマルチモード光ファイバ増幅装置を示すブロック図である。
【図７】ＬＰ01モード、ＬＰ11モード、ＬＰ21モードの送受信装置を本発明の第３の実施形態に係るマルチモード光ファイバ増幅装置において接続した光通信システムにおいて、ＬＰ01モード信号光として１５３０．３３〜１５６１．４２ｎｍに１００ＧＨｚ間隔で配置された２０ＧｂａｕｄＱＰＳＫで変調された４０波波長多重信号のみを、伝送したときのＱファクタ（受信装置内の前方誤り訂正回路の前段におけるＱファクタ）を示す図である。
【発明を実施するための形態】
【００２０】
励起光が入力されている状態の光ファイバ増幅器において、信号光の有無により光ファイバ増幅器から出力されるＡＳＥ光パワーは異なり、信号光入力がないときは信号光入力があるときより出力ＡＳＥ光パワーは大きくなる。
【００２１】
ＬＰ01モード信号光とＬＰ11モード信号光をサポートする２ＬＰモードマルチモード光ファイバ増幅器において、ＬＰ01モード信号光のみを入力した場合は、光ファイバ増幅器から出力されるＬＰ11モードのＡＳＥ光パワーは両モードの信号光が入力したときより大きくなる。
【００２２】
ところで、光ファイバ増幅器内部ではＬＰ01モードとＬＰ11モード間で頻繁にモード変換が起こっており、ＬＰ01モードとＬＰ11モードとの間でＡＳＥ光パワー変換が発生している。マルチモード光ファイバ増幅器への入力がＬＰ01信号光のみの場合、モード変換によりＬＰ11モードからＬＰ01モードへ変換されるＡＳＥ光パワーは両モードの信号光が入力したときより大きくなり、その結果ＬＰ01モード信号光増幅における雑音特性が劣化し、雑音指数が増加する。
【００２３】
このことを、図２（ａ）〜（ｄ）を用いて説明する。但し、図２（ａ）〜（ｄ）は仮にモード変換がないとした場合のＬＰ01モード信号光とＬＰ11モード信号光の出力スペクトルを分けて描写した仮想的な光スペクトルである。
【００２４】
図２（ａ）、（ｂ）はそれぞれ、マルチモード光ファイバ増幅器へ両モードの信号光を入力した場合のＬＰ01モード信号光、ＬＰ11モード信号光の出力スペクトルであり、両モードとも利得平坦（利得の波長依存性がある一定値より小さい）増幅状態となるように励起光パワーが調整されてある。
【００２５】
図２（ｃ）、（ｄ）はそれぞれ、マルチモード光ファイバ増幅器へＬＰ01モード信号光のみを入力した場合のＬＰ01モード信号光、ＬＰ11モード信号光の出力スペクトルを示しており、ＬＰ01モード利得が利得平坦となるように励起光パワーが調整されている。このとき、ＬＰ11モードの信号光入力がないため、ＬＰ11モード出力光はＡＳＥ光のみとなり、ＡＳＥ光出力は利得平坦な増幅状態のＡＳＥ光（図２（ｄ）の点線で示した）より過大となる。実際には両モード間でモード変換が発生するため、ＬＰ11モードで発生した過大なＡＳＥ光の一部がＬＰ01モードへ変換され、その結果ＬＰ01モード出力におけるＡＳＥ光パワーも過大となって雑音特性を劣化させることになる。
【００２６】
ＬＰ11モード信号光のみを入力した場合も上記と同様の理由により、モード変換によりＬＰ01モードからＬＰ11モードへ変換されるＡＳＥ光パワーは両モードの信号光が入力したときより大きくなり、その結果ＬＰ11モード信号光増幅における雑音特性が劣化し、雑音指数が増加する。したがって、２ＬＰモード光ファイバ増幅器においては、常に両モードの信号光を入力して増幅することにより雑音特性の劣化を抑制できることになる。
【００２７】
３以上のＬＰモードをサポートする光ファイバ増幅器の場合は、１つのモード信号光のみが入力する場合の雑音特性劣化が最大で、入力する信号光モード数が大きくなる程、雑音特性の劣化が抑制され、サポートされる全モードの信号光が入力する場合には雑音特性の劣化をほとんど回避することができる。
【００２８】
以下、本発明の実施の形態について、詳細に説明する。
【００２９】
（第１の実施形態）
図３に、本発明の第１の実施形態に係る光通信システムのブロック図を示す。ＬＰ01モード、ＬＰ11モード、ＬＰ21モードの信号光を送信する送信装置１−１〜１−３は、ＬＰ01モード、ＬＰ11モード、ＬＰ21モードの信号光を合波するモード合波器２に接続されている。ＬＰ01モード、ＬＰ11モード、ＬＰ21モードの信号光を受信する受信装置４−１〜４−３は、モード多重光をＬＰ01モード、ＬＰ11モード、ＬＰ21モードの信号光に分波するモード分波器３に接続されている。
【００３０】
モード合波器２とモード分波器３とは、ＬＰ01モード、ＬＰ11モード、ＬＰ21モードの３ＬＰモードをサポートするマルチモードファイバ５−１、５−２、ＬＰ01モード、ＬＰ11モード、ＬＰ21モードの信号光を増幅するマルチモード光ファイバ増幅器６−１〜６−３を介して接続されている。
【００３１】
マルチモードファイバ５−１、５−２はいずれも条長８０ｋｍのマルチモードファイバである。
【００３２】
マルチモード光ファイバ増幅器６−１〜６−３はそれぞれ後置増幅器（ブースタ増幅器）、中継増幅器、前置増幅器であり、いずれも増幅媒体としてＬＰ01モード、ＬＰ11モード、ＬＰ21モードの３ＬＰモードの信号光を増幅できるエルビウム添加ファイバを用いており、前方・後方励起それぞれ１セット（偏波合成した２台の励起ＬＤを１セット）の９８０ｎｍ帯励起光源装置を備える。
【００３３】
送信装置１−１〜１−３は、それぞれのモードにおいて、複数の波長（周波数）の信号光をそれぞれ発生させる光源と、信号光にデータを重畳するための変調器と、複数波長の信号を合波する合波器と、それらを動作させるための電子回路とを備えている。
【００３４】
受信装置４−１〜４−３は、それぞれのモードにおいて、複数波長の信号を分波する分波器と複数の波長（周波数）の信号光をそれぞれ受信する受信機と、受信信号の電気処理を行う信号処理装置と、それらを動作させるための電子回路とを備えている。
【００３５】
図３には示していないが、光通信システムを監視・制御する監視制御装置により、本光通信システムの各装置は制御される。
【００３６】
各送信装置は、通常、送信データが有る場合にのみ送信データを重畳した信号光を出力するが、本発明では、送信データがない場合にも信号光を出力させる。本実施形態では、送信装置１−１〜１−３のうち少なくとも１つが送信データを有している場合、監視制御装置が、送信データを有さない他のモードの送信装置に対して、所定の波長の光信号を出力するよう制御する。これにより、送信データが重畳された信号光をマルチモード光ファイバ増幅器６−１〜６−３で増幅する際、全モードの信号光をマルチモード光ファイバ増幅器６−１〜６−３に入力する。
【００３７】
また、別の制御方法として、送信装置１−１〜１−３のうち少なくとも１つが送信データを有している場合、監視制御装置が、送信データの有無を問わず、全送信装置１−１〜１−３に対して、所定の波長の光信号を出力するよう制御しても良い。但し、この制御方法では、送信データを有する送信装置から、送信データを重畳する信号光とは別に、送信データの重畳されていない信号光が出力されることもある。
【００３８】
図４に、本発明の光通信システムにおいて、ＬＰ01モード信号光として１５３０．３３〜１５６１．４２ｎｍに１００ＧＨｚ間隔で配置された２０Ｇｂａｕｄ四位相偏移変調（ＱＰＳＫ）で変調された４０波波長多重信号と、ＬＰ11モード信号光及びＬＰ21モード信号光として２０ＧｂａｕｄＱＰＳＫで変調された１５３０．３３ｎｍの単一波長信号を伝送したときのＱファクタ（受信装置内の前方誤り訂正回路の前段におけるＱファクタ）を示す。
【００３９】
○はＬＰ01モード信号光の、□はＬＰ11モード信号光の、△はＬＰ21モード信号光のＱファクタを示している。また、図４には比較として、監視制御装置の設定を変えて、ＬＰ01モード信号光のみを伝送できるようにしたときのＱファクタも●で併せて示している。図４の５．７ｄＢの点線はこれ以上のＱファクタのときに誤りなく伝送できることを示し、これよりＱファクタが小さいときは伝送品質に劣化があることを意味している。図４から明らかなように、ＬＰ01モード信号光のみを伝送させたときはＱファクタが５．７ｄＢを下回る信号光波長があるのに対し、ＬＰ01モード、ＬＰ11モード、ＬＰ21モードの全モードを伝送させることで、全信号波長のＱファクタが５．７ｄＢ以上で伝送品質が保たれており、本願発明が効果を発揮していることがわかる。
【００４０】
（第２の実施形態）
本実施形態の光通信システムは、第１の実施形態の光通信システムと構成は同じであるが、光通信システムを監視・制御する監視制御装置の動作が異なり、監視制御装置の内部のソフトウェアにより少なくとも２つ以上のモードにおいて少なくとも１つ以上の波長の信号光が伝送されるように光通信システムを制御することが、本実施形態の特徴である。
【００４１】
本実施形態では、送信装置１−１〜１−３のうち少なくとも１つが送信データを有している場合、監視制御装置が、送信データを有する送信装置の数が２以上であるか否かを判定し、２以上の場合は、送信データを有する送信装置から送信データを重畳した信号光を出力させる。送信データを有する送信装置の数が２以上でない、つまり、送信データを有する送信装置が１つの場合、出力される信号光のモード数が２になるよう、送信データを有さない他のモードの送信装置のうちの１つに信号光を出力させる。これにより、送信データが重畳された信号光をマルチモード光ファイバ増幅器６−１〜６−３で増幅する際、２つのモードの信号光をマルチモード光ファイバ増幅器６−１〜６−３に入力する。
【００４２】
また、別の制御方法として、送信装置１−１〜１−３のうち少なくとも１つが送信データを有している場合、監視制御装置が、送信データの有無を問わず、送信装置１−１〜１−３のうちの２つに対して、所定の波長の光信号を出力するよう制御しても良い。但し、この制御方法では、送信データを有する送信装置から、送信データを重畳する信号光とは別に、送信データの重畳されていない信号光が出力されることもある。
【００４３】
図５に、本光通信システムにおいて、ＬＰ01モード信号光として１５３０．３３〜１５６１．４２ｎｍに１００ＧＨｚ間隔で配置された２０ＧｂａｕｄＱＰＳＫで変調された４０波波長多重信号と、ＬＰ21モード信号光として２０ＧｂａｕｄＱＰＳＫで変調された１５３０．３３ｎｍの単一波長信号を伝送したときのＱファクタ（受信装置内の前方誤り訂正回路の前段におけるＱファクタ）を示す。○はＬＰ01モード信号光のＱファクタ、△はＬＰ21モード信号光のＱファクタを示している。また、図５には比較として、監視制御装置の設定を変えて、ＬＰ01モード信号光のみを伝送できるようにしたときのＱファクタも●で併せて示している。
【００４４】
図５から明らかなように、ＬＰ01モード信号光のみを伝送させたときはＱファクタが５．７ｄＢを下回る信号光波長があるのに対し、ＬＰ01モード、ＬＰ21モードの２モードを伝送させることで、全信号波長のＱファクタが５．７ｄＢ以上で伝送品質が保たれており、本願発明が効果を発揮していることがわかる。
【００４５】
（第３の実施形態）
図６に、本願発明における第３の実施形態のマルチモード光ファイバ増幅装置１００のブロック図を示す。先ず、マルチモード光ファイバ増幅装置１００の光増幅部１５０について説明する。エルビウム添加ファイバ１０１は、ＬＰ01モード、ＬＰ11モード、ＬＰ21モードの各信号光を増幅することができる増幅用ファイバである。エルビウム添加ファイバ１０１には、エルビウム添加ファイバに添加されたエルビウムイオンを励起するための励起光を出力する、９８０ｎｍ帯半導体レーザである励起光源１０２−１、１０２−２が励起光／信号光合分波器１０３−１、１０３−２を介して接続されている。励起光／信号光合分波器１０３−１、１０３−２は、励起光とＬＰ01モード、ＬＰ11モード、ＬＰ21モードの各信号光を合波または分波し、増幅された信号光のみマルチモード光ファイバ増幅装置１００から出力される。光アイソレータ１０４−１、１０４−２が、光ファイバ増幅部１５０の入出力端に設置され、ＬＰ01モード、ＬＰ11モード、ＬＰ21モードの各信号光の伝搬方向を一方向に限定する。
【００４６】
本実施形態では、光増幅部１５０の前段に、ＬＰ01モード、ＬＰ11モード、ＬＰ21モードの光を出力する光源１０５−１〜１０５−３が設置され、光源１０５−１〜１０５−３から出力された光は、モード合波器１０６で合波されて光結合器１０７でマルチモード光ファイバ増幅装置１００に入力された信号光と結合される。光結合器１０７は、ポートａに入力される信号光の光パワー９０に対して、ポートｂに入力される光源１０５−１〜１０５−３からの出力光の光パワーは１０で結合する。
【００４７】
点線で囲まれた光増幅部１５０は本実施形態の構成に限定されず、励起構成や励起波長が異なったり（図６では９８０ｎｍ帯双方向励起であるが、他の励起波長や、前方励起や後方励起を用いたりすること）、増幅用ファイバ、励起光源、励起光／信号光合分波器をより多く備えた多段増幅の光増幅器構成であっても本願発明の効果は変わりない。
【００４８】
マルチモード光ファイバ増幅装置１００の制御装置（不図示）には、光通信システムの監視制御装置から各モードの信号光の有無情報が伝達される。マルチモード光ファイバ増幅装置１００は、その各モードの信号光の有無情報を基にして、光ファイバ増幅部１５０に入力されないモードの信号光については、光源１０５−１〜１０５−３のうちの対応するモードの光源から光増幅部１５０に光を入力する。このことにより、光増幅部１５０は常に全モードの信号光が入力されることになる。光源１０５−１、１０５−２、１０５−３のどの光源の信号光を光増幅部１５０へ入力するかの判断は、光ファイバ増幅器の制御装置が光源１０５−１、１０５−２、１０５−３を制御する。
【００４９】
本実施形態の光ファイバ増幅器を例えば図３のブロック図で示した光通信システムへ適用することで、光通信システムは各モードの信号光有無にかかわらず、伝送品質を保持した伝送が実現できる。
【００５０】
図７に、ＬＰ01モード、ＬＰ11モード、ＬＰ21モードの送受信装置を本発明の第３の実施形態に係るマルチモード光ファイバ増幅装置において接続した光通信システムにおいて、ＬＰ01モード信号光として１５３０．３３〜１５６１．４２ｎｍに１００ＧＨｚ間隔で配置された２０ＧｂａｕｄＱＰＳＫで変調された４０波波長多重信号のみを、伝送したときのＱファクタ（受信装置内の前方誤り訂正回路の前段におけるＱファクタ）を○で示す。図７から明らかなように、ＬＰ01モードの信号光のみを伝送しても、全信号波長のＱファクタが５．７ｄＢ以上となり伝送品質が保たれており、本願発明が効果を発揮していることがわかる。
【００５１】
尚、光源１０５−１〜１０５−３の制御方法は、第１および第２の実施形態における送信装置１−１〜１−３の制御方法と同様に制御することが可能である。
【００５２】
第１〜第３の実施形態では、モード数が３の場合について記載したが、モード数に合わせてモード合分波器、送信装置、光源を用意すれば、所望のモード数においても同様の効果を奏する光通信システム及びマルチモード光ファイバ増幅装置が可能である。
【符号の説明】
【００５３】
１−１〜１−３  送信装置
２  モード合波器
３  モード分波器
４−１〜４−３  受信装置
５−１、５−２  マルチモードファイバ
６−１〜６−３  マルチモード光ファイバ増幅器
１００  マルチモード光ファイバ増幅装置
１０１  エルビウム添加ファイバ
１０２  励起光源
１０３  励起光／信号光合分波器
１０４  光アイソレータ
１０５−１〜１０５−３  光源
１０６  モード合波器
１０７  光結合器
【要約】
【課題】マルチモード光ファイバ増幅器において、増幅する信号光のモード数に依存した雑音特性の劣化を抑制する光通信システム及びマルチモード光ファイバ増幅装置を提供すること。
【解決手段】送信装置１−１〜１−３のうち少なくとも１つが送信データを有している場合、監視制御装置が、送信データを有さない他のモードの送信装置に対して、所定の波長の光信号を出力するよう制御する。これにより、送信データが重畳された信号光をマルチモード光ファイバ増幅器６−１〜６−３で増幅する際、全モードの信号光をマルチモード光ファイバ増幅器６−１〜６−３に入力する。また、別の制御方法として、送信装置１−１〜１−３のうち少なくとも１つが送信データを有している場合、監視制御装置が、送信データの有無を問わず、全送信装置１−１〜１−３に対して、所定の波長の光信号を出力するよう制御しても良い。
【選択図】図３【図１】
0005967737.tif 000002
【図２】
0005967737.tif 000003
【図３】
0005967737.tif 000004
【図４】
0005967737.tif 000005
【図５】
0005967737.tif 000006
【図６】
0005967737.tif 000007
【図７】
0005967737.tif 000008